(57)【要約】【課題】作業性を大きく向上させることができる回転電機の仮固定治具及びこれを使用する回転電機の組立方法を提供する。【解決手段】フレーム１１１の一端側に複数のブラケット１１の基端側を周方向に沿って等間隔でそれぞれ取り付け、ブラケット１１の先端側にスペーサ１２を各々配置してブラケット１１及びスペーサ１２に仮固定ボルト１３を各々貫通させて、ロータ１１３の仮固定台座１１３ａにそれぞれ螺合させることにより、フレーム１１１に対してロータ１１３を仮固定した後、ロータ１１３に回転軸１１４を装着したら、仮固定ボルト１３をそれぞれ外してブラケット１１の先端側とロータ１１３との間からスペーサ１２を各々取り外すことにより、ロータ１１３を回転軸１１４に本固定する。【選択図】図４
2020043657.tif 000002
【特許請求の範囲】
【請求項１】
ステータを取り付けた円筒形のフレームに対してロータを仮固定する回転電機の仮固定治具であって、
前記フレームの一端側に基端側を着脱可能に取り付けられて先端側を前記ロータへ着脱可能に連結される板状の支持部材と、
前記支持部材の先端側と前記ロータとの間に着脱可能に配設される座部材と、
前記支持部材の先端側及び前記座部材を貫通して前記ロータに着脱可能に螺合する仮固定ボルトと
を備えていることを特徴とする回転電機の仮固定治具。
【請求項２】
請求項１に記載の回転電機の仮固定治具を使用する回転電機の組立方法であって、
前記フレームの一端側に複数の前記支持部材の基端側を周方向に沿って規定間隔でそれぞれ取り付け、
前記支持部材の先端側に前記座部材を各々配置して当該支持部材及び当該座部材に前記仮固定ボルトを各々貫通させて、前記ステータの内部に配設された前記ロータにそれぞれ螺合させることにより、
前記フレームに対して前記ロータを仮固定する
ことを特徴とする回転電機の組立方法。
【請求項３】
請求項２に記載の回転電機の組立方法において、
前記支持部材を取り付けられた前記フレームの一端側に、当該フレームの内側と外側とを仕切るように覆うカバーを取り付ける
ことを特徴とする回転電機の組立方法。
【請求項４】
請求項２又は請求項３に記載の回転電機の組立方法において、
前記フレームに対して仮固定された前記ロータに回転軸を装着した後、
前記仮固定ボルトをそれぞれ外して前記支持部材の先端側と前記ロータとの間から前記座部材を各々取り外すことにより、
前記ロータを前記回転軸に本固定する
ことを特徴とする回転電機の組立方法。
【請求項５】
請求項１に記載の仮固定治具を利用する回転電機であって、
前記フレームが、前記仮固定治具の前記支持部材の基端側を着脱可能に埋装する埋装溝を有している
ことを特徴とする回転電機。
【発明の詳細な説明】
【技術分野】
【０００１】
本発明は、ステータを取り付けた円筒形のフレームに対してロータを仮固定する回転電機の仮固定治具及びこれを使用する回転電機の組立方法に関し、特に、エレベータの巻上機のモータに適用すると有効なものである。
【背景技術】
【０００２】
例えば、エレベータの巻上機のモータは、工場において、ステータを内部に取り付けた円筒形のフレームの一端側に環状をなす仮固定治具を同軸をなして取り付けると共に、ステータの内部に配設したロータを当該仮固定治具に取り付けることにより、ステータの同軸上にロータを位置付けるように仮固定してから、現場にまで搬送し、網車の回転軸をロータの内部に挿入してロータに回転軸を装着した後、フレーム及びロータから仮固定治具を取り外して、フレームの一端側にカバーを取り付けることにより、組み立てられている。
【先行技術文献】
【特許文献】
【０００３】
【特許文献１】特開２００４−１０７０４８号公報
【特許文献２】特開２００９−１０７７９０号公報
【発明の概要】
【発明が解決しようとする課題】
【０００４】
フレームに対してロータを仮固定する仮固定治具は、堅牢さが必要であることから、肉厚な部材となってしまう。このため、前述したような従来の環状の仮固定治具は、重量が非常に大きく、取り付けや取り外し等の作業に多大な労力を要するものとなっていた。
【０００５】
このような問題は、エレベータの巻上機のモータに限らず、ステータを取り付けた円筒形のフレームに対してロータを仮固定する回転電機であれば、上述した場合と同様にして生じ得ることである。
【０００６】
このようなことから、本発明は、作業性を大きく向上させることができる回転電機の仮固定治具及びこれを使用する回転電機の組立方法を提供することを目的とする。
【課題を解決するための手段】
【０００７】
前述した課題を解決するための、本発明に係る回転電機の仮固定治具は、ステータを取り付けた円筒形のフレームに対してロータを仮固定する回転電機の仮固定治具であって、前記フレームの一端側に基端側を着脱可能に取り付けられて先端側を前記ロータへ着脱可能に連結される板状の支持部材と、前記支持部材の先端側と前記ロータとの間に着脱可能に配設される座部材と、前記支持部材の先端側及び前記座部材を貫通して前記ロータに着脱可能に螺合する仮固定ボルトとを備えていることを特徴とする。
【０００８】
そして、前述した課題を解決するための、本発明に係る回転電機の組立方法は、上述した回転電機の仮固定治具を使用する回転電機の組立方法であって、前記フレームの一端側に複数の前記支持部材の基端側を周方向に沿って規定間隔でそれぞれ取り付け、前記支持部材の先端側に前記座部材を各々配置して当該支持部材及び当該座部材に前記仮固定ボルトを各々貫通させて、前記ステータの内部に配設された前記ロータにそれぞれ螺合させることにより、前記フレームに対して前記ロータを仮固定することを特徴とする。
【０００９】
また、本発明に係る回転電機の組立方法は、上述した回転電機の組立方法において、前記支持部材を取り付けられた前記フレームの一端側に、当該フレームの内側と外側とを仕切るように覆うカバーを取り付けることを特徴とする。
【００１０】
また、本発明に係る回転電機の組立方法は、上述した回転電機の組立方法において、前記フレームに対して仮固定された前記ロータに回転軸を装着した後、前記仮固定ボルトをそれぞれ外して前記支持部材の先端側と前記ロータとの間から前記座部材を各々取り外すことにより、前記ロータを前記回転軸に本固定することを特徴とする。
【００１１】
さらに、本発明に係る回転電機は、上述した仮固定治具を利用する回転電機であって、前記フレームが、前記仮固定治具の前記支持部材の基端側を着脱可能に埋装する埋装溝を有していることを特徴とする。
【発明の効果】
【００１２】
本発明によれば、板状をなす小型で軽量の支持部材及び座部材によってロータをフレームに対して仮固定することができ、ロータを回転軸に装着した後、支持部材とロータとの間から座部材を取り外すことによって仮固定を解除することができるので、取り付けや取り外し等の作業性を大幅に向上させることができる。
【図面の簡単な説明】
【００１３】
【図１】本発明に係る回転電機の仮固定治具の第一番目の実施形態のブラケットの構造図である。
【図２】本発明に係る回転電機の仮固定治具の第一番目の実施形態のスペーサの構造図である。
【図３】本発明に係る回転電機の仮固定治具の第一番目の実施形態の仮固定ボルトの構造図である。
【図４】本発明に係る回転電機の仮固定治具を使用する回転電機の組立方法の第一番目の実施形態の説明図である。
【図５】図４に続く説明図である。
【図６】図５に続く説明図である
【図７】本発明に係る回転電機の仮固定治具を使用する回転電機の組立方法の第二番目の実施形態の説明図である。
【図８】図７に続く説明図である。
【図９】図８に続く説明図である。
【図１０】本発明に係る回転電機の仮固定治具を使用する回転電機の組立方法の他の実施形態の説明図である。
【発明を実施するための形態】
【００１４】
本発明に係る回転電機の仮固定治具及びこれを使用する回転電機の組立方法の実施形態を図面に基づいて説明するが、本発明は図面に基づいて説明する以下の実施形態のみに限定されるものではない。
【００１５】
〈第一番目の実施形態〉
本発明に係る回転電機の仮固定治具及びこれを使用する回転電機の組立方法の第一番目の実施形態を図１〜６に基づいて説明する。
【００１６】
本実施形態に係る回転電機の仮固定治具は、図１〜３に示すように、ステータを取り付けた円筒形のフレームに対してロータを仮固定する回転電機の仮固定治具であって、フレームの一端側に基端側を着脱可能に取り付けられて先端側をロータへ着脱可能に連結される板状の支持部材であるブラケット１１と、ブラケット１１の先端側とロータとの間に着脱可能に配設される座部材であるスペーサ１２と、ブラケット１１の先端側及びスペーサ１２を貫通してロータに着脱可能に螺合する仮固定ボルト１３とを備えると共に、さらに、ブラケット１１の基端側をフレームの一端側に着脱可能に取り付ける取付ボルト１４（図４参照）を備えている。
【００１７】
ブラケット１１は、背面（図１Ａ中、紙面奥面、図１Ｂ中、右面）の先端側（図１Ａ，図１Ｂ中、下側）に、厚肉となる台座部１１ａが設けられ、厚さ方向（図１Ａ中、紙面垂直方向、図１Ｂ中、左右方向）へ仮固定ボルト１３を差し込まれるボルト穴１１ｂが形成されると共に、基端側（図１中、上側）に、厚さ方向へ取付ボルトを差し込まれるボルト穴１１ｃが形成されている。
【００１８】
スペーサ１２は、直方体形状をなし、ブラケット１１のボルト穴１１ｂと連絡して厚さ方向（図２Ａ中、紙面垂直方向、図２Ｂ中、左右方向）へ仮固定ボルト１３を差し込まれるボルト穴１２ｂが形成されている。
【００１９】
仮固定ボルト１３は、頭部１３ａが、ブラケット１１のボルト穴１１ｂの直径よりも大きい径サイズを有し、軸部１３ｂが、重ね合わせたブラケット１１及びスペーサ１２のボルト穴１１ｂ，１２ｂから突出できるように当該ボルト穴１１ｂ，１２ｂの合計長さよりも長くなっている。
【００２０】
このような本実施形態に係る仮固定治具１０を使用する回転電機であるエレベータの巻上機のモータの組立方法を図４〜６に基づいて説明する。
【００２１】
まず、工場において、環状をなすステータ１１２を内周面に同軸をなして取り付けた円筒形のフレーム１１１の一端側（図４Ａ中、紙面手前側、図４Ｂ中、左端側）に、複数（本実施形態では３つ）のブラケット１１の基端側を周方向に沿って規定間隔（本実施形態では等間隔）でそれぞれ配設して、ボルト穴１１ｃに取付ボルト１４を各々差し込んで貫通させてフレーム１１１の一端側に螺合させ、当該ブラケット１１の基端側をフレーム１１１にそれぞれ取り付ける。
【００２２】
そして、環状をなすロータ１１３をステータ１１２の内部に配設して、ブラケット１１のボルト穴１１ｂにスペーサ１２のボルト穴１２ｂを各々連絡させるようにブラケット１１の台座部１１ａにスペーサ１２をそれぞれ配置して上記ボルト穴１１ｂ，１２ｂに仮固定ボルト１３を差し込んで貫通させてロータ１１３の仮固定台座部１１３ａにそれぞれ螺合させる。
【００２３】
このようにして、ロータ１１３は、ステータ１１２と同軸をなすように仮固定治具１０でフレーム１１１に仮固定される。
【００２４】
そして、フレーム１１１に対してロータ１１３を仮固定したら、現場にまで搬送し、網車の回転軸１１４をロータ１１３の内部に挿入してロータ１１３に回転軸１１４を装着した後、仮固定ボルト１３をそれぞれ外してブラケット１１の台座部１１ａとロータ１１３の仮固定台座部１１３ａとの間からスペーサ１２を各々取り外す（図５参照）。
【００２５】
このようにして、ロータ１１３は、ステータ１１２と同軸をなすように回転軸１１４に本固定される。
【００２６】
そして、フレーム１１１の内側と外側とを仕切るように覆う円板形のカバー１１５を当該フレーム１１１の一端側に同軸をなして配設し、当該カバー１１５を取付ボルト１１６でブラケット１１及びフレーム１１１に取り付けることにより（図６参照）、エレベータの巻上機のモータ１１０が現場で組み立てられて据え付けられる。なお、図６中、１１５ａはカバー１１５とフレーム１１１との間の空隙を塞ぐ台座部である。
【００２７】
つまり、従来は、環状をなす大型で重量物の仮固定治具によってロータをフレームに対して仮固定して、当該仮固定治具を取り外すことによって仮固定を解除すると共にカバーをフレームに装着できるようにしていたが、本実施形態においては、複数（本実施形態では３つ）の板状をなす小型で軽量のブラケット１１及びスペーサ１２によってロータ１１３を仮固定して、スペーサ１２を取り外すことによって仮固定を解除すると共にフレーム１１１にブラケット１１を取り付けたままカバー１１５を装着ことができるようにしたのである。
【００２８】
このため、従来は、取り付けや取り外し等の作業に多大な労力を要してしまっていたものの、本実施形態においては、取り付けや取り外し等の作業を非常に容易に行うことが可能となる。
【００２９】
したがって、本実施形態に係る仮固定治具１０及びこれを使用するエレベータの巻上機のモータ１１０の組立方法よれば、作業性を大幅に向上させることができる。
【００３０】
〈第二番目の実施形態〉
本発明に係る回転電機の仮固定治具及びこれを使用する回転電機の組立方法の第二番目の実施形態を図７〜９に基づいて説明する。なお、前述した実施形態と同様な部分については、前述した実施形態の説明で用いた符号と同様な符号を用いることにより、前述した実施形態での説明と重複する説明を省略する。
【００３１】
本実施形態は、前述した実施形態と同一の回転電機の仮固定治具１０である。
【００３２】
このような仮固定治具１０を使用する本実施形態に係るエレベータの巻上機のモータの組立方法を次に説明する。
【００３３】
前述した実施形態の場合と同様に、工場において、ステータ１１２と同軸をなすようにロータ１１３をフレーム１１１に仮固定治具１０で仮固定したら、そのまま引き続き、フレーム１１１の内側と外側とを仕切るように覆うと共に仮固定ボルト１３の頭部１３ａを露出させる露出穴１１５ｂを形成されてフレーム１１１の内側と外側とを連通させる作業穴１１５ｃを蓋板１１５ｄで開閉可能に塞がれた円板形のカバー１１５を当該フレーム１１１の一端側に同軸をなして配設し、当該カバー１１５を取付ボルト１１６でブラケット１１及びフレーム１１１に取り付ける（図７参照）。
【００３４】
このようにしてフレーム１１１にカバー１１５を取り付けたら、現場にまで搬送し、網車の回転軸１１４をロータ１１３の内部に挿入してロータ１１３に回転軸１１４を装着し、カバー１１５の蓋板１１５ｄを開けて作業穴１１５ｃを開放し、前述した実施形態の場合と同様に、仮固定ボルト１３をそれぞれ外してブラケット１１の台座部１１ａとロータ１１３の仮固定台座部１１３ａとの間からスペーサ１２を各々取り外してカバー１１５の作業穴１１５ｃから外部へ搬出した後（図８参照）、カバー１１５の蓋板１１５ｄを閉じて作業穴１１５ｃを閉塞すると共にブラケット１１のボルト穴１１ｂを栓部材１５で塞ぐことにより（図９参照）、エレベータの巻上機のモータ１１０を現場で組み立てて据え付けることができる。
【００３５】
つまり、前述した実施形態においては、現場において、ロータ１１３を回転軸１１４に本固定してから、フレーム１１１にカバー１１５を取り付けるようにしたが、本実施形態においては、工場において、ロータ１１３をフレーム１１１に仮固定したら、そのまま引き続いて、フレーム１１１にカバー１１５を取り付けた後に、現場にまで搬送するようにしたのである。
【００３６】
このため、前述した実施形態では、カバー１１５を現場まで別個に搬送しなければならなかったものの、本実施形態においては、カバー１１５を現場まで一体的に搬送することができる。
【００３７】
したがって、本実施形態によれば、前述した実施形態の場合と同様な効果を得ることができるのはもちろんのこと、作業効率をさらに向上させることができる。
【００３８】
〈他の実施形態〉
なお、例えば、図１０に示すように、ブラケット１１の基端側を着脱可能に埋装する凹状の埋装溝１１１ａをフレーム１１１の一端側（図８中、左側）の面に形成（例えば、フレーム１１１の周方向に規定間隔（例えば等間隔）で複数（例えば３つ）形成）し、当該埋装溝１１１ａ内にブラケット１１の基端側を埋装して取付ボルト１４でブラケット１１をフレーム１１１に取り付けるようにすれば、カバー１１５の前記台座部１１５ａを省略することができるようになるので、カバー１１５の簡素化を図ることができる。
【００３９】
また、前述した実施形態においては、エレベータの巻上機のモータに適用した場合について説明したが、本発明はこれに限らず、ステータを取り付けた円筒形のフレームに対してロータを仮固定する回転電機であれば、前述した実施形態の場合と同様にして適用することができる。
【産業上の利用可能性】
【００４０】
本発明に係る回転電機の仮固定治具及びこれを使用する回転電機の組立方法は、取り付けや取り外し等の作業性を大幅に向上させることができるので、産業上、極めて有益に利用することができる。
【符号の説明】
【００４１】
１０  仮固定治具
１１  ブラケット
１１ａ  台座部
１１ｂ  ボルト穴
１１ｃ  ボルト穴
１２  スペーサ
１２ｂ  ボルト穴
１３  仮固定ボルト
１３ａ  頭部
１３ｂ  軸部
１４  取付ボルト
１５  栓部材
１１０  モータ
１１１  フレーム
１１１ａ  埋装溝
１１２  ステータ
１１３  ロータ
１１３ａ  仮固定台座部
１１４  回転軸
１１５  カバー
１１５ａ  台座部
１１５ｂ  露出穴
１１５ｃ  作業穴
１１５ｄ  蓋板
１１６  取付ボルト
【図１】
2020043657.tif 000003
【図２】
2020043657.tif 000004
【図３】
2020043657.tif 000005
【図４】
2020043657.tif 000006
【図５】
2020043657.tif 000007
【図６】
2020043657.tif 000008
【図７】
2020043657.tif 000009
【図８】
2020043657.tif 000010
【図９】
2020043657.tif 000011
【図１０】
2020043657.tif 000012